(57)【特許請求の範囲】
【請求項１】
略円筒状の口部を有する容器の、上記口部を密封するために用いられる樹脂製キャップであって、第１のキャップと、上記第１のキャップの上に冠着される第２のキャップとで構成され、上記第１のキャップが、容器口部の開口を覆う上面部と、上記上面部下面から下向きに形成され、容器口部と着脱自在に係合する係合部とを備え、上記第２のキャップが、上記第１のキャップの上面の周縁部を覆い中央部が開口した天面部と、上記天面部の下面周縁部から下向きに形成され、容器口部に直接もしくは第１のキャップを介して嵌合する周壁部と、上記天面部上に起立姿勢で保持され、その下端両端がそれぞれ上記天面部の開口縁部の一端側と他端側とに連結される起立片とを備え、上記第１のキャップの上面部には、上記第２のキャップの天面部開口から上方に突出して上記第２のキャップの起立片の一部と、剥離容易な状態で接合される第１の突出部と、上記第１の突出部から剥離された起立片が所定角度以上倒れないよう当たり止めとなる第２の突出部とが形成されており、上記起立片を、上記第１の突出部から剥離し上記第２の突出部に当てた状態で、さらに下向きに押圧することにより、上記第２のキャップが、上記第１のキャップから外れて除去されるようになっていることを特徴とする樹脂製キャップ。
【請求項２】
上記第１のキャップの上面部の中央部が略半球状に突出形成され、その少なくとも片側に、その突出面からさらに突出する厚肉部が形成されているとともに、上記第２のキャップの、起立姿勢で保持れた起立片の下端部が、上記略半球状突出面に沿う略円弧状に形成され上記略半球状突出面に剥離容易な状態で接合されており、上記起立片を、上記略半球状突出面から剥離して上記厚肉部に当たるまで倒すことができるようになっている請求項１記載の樹脂製キャップ。
【請求項３】
請求項１または２の樹脂製キャップを用いて容器口部の密封および改ざん防止用の封止がなされていることを特徴とする樹脂製キャップ付容器。
【請求項４】
上記容器が、上記樹脂製キャップを除去し、その口部に、中身取り出し用ノズルもしくは開閉キャップを冠着して使用するものである請求項３記載の樹脂製キャップ付容器。
【発明の詳細な説明】
【技術分野】
【０００１】
本発明は、バイアル瓶等の容器を密封するために用いられる樹脂製キャップと、それを用いた樹脂製キャップ付容器に関するものである。
【背景技術】
【０００２】
従来から、バイアル瓶に代表されるような、略円筒状の口部を有する薬用瓶等は、上記口部にフランジ付栓体を嵌合して密封されるようになっている。そして、上記密封性をより高めるとともに第三者による改ざんを防止するために、その密封部分をアルミ等の軟質金属薄板で被覆したり、樹脂キャップに金属製の剥離用タブを取り付けた封止用キャップを冠着したりすることが行われている（例えば、特許文献１参照）。
【０００３】
しかしながら、アルミ等の軟質金属薄板で被覆したものは、きれいに開封するのに時間がかかり、開封用の工具等を用いると、栓体や瓶の口部を傷つけやすいという問題がある。また、金属製の剥離用タブを有する封止用キャップは、開封動作時に、上記剥離用タブの端で手指を負傷するおそれがあり、安全とはいえない。
【０００４】
そこで、このような封止用キャップを、樹脂だけで作製し、簡単に開封することができるものが提案されている（例えば、特許文献２参照）
【特許文献１】特許第２７３９４５５号公報
【特許文献２】特開平９−２３８９９８号公報
【発明の開示】
【発明が解決しようとする課題】
【０００５】
しかしながら、上記特許文献２の封止用キャップは、容器口部と嵌合する部分と、その部分に細い橋部を介して連結される天板とを備え、上記天板を引っ張って橋部を切断することにより天板を除去し、容器口部を蓋する栓体上面のみを露出させるようになっている。このため、上記露出した栓体上面に、注射針を刺して容器内の薬液を抜き取る等の用途には適しているものの、栓体を容器口部から取り外して中身を取り出す場合や、別途用意される中身取り出し用のノズルを上記栓体と取り替えて用いる場合等には、上記封止用キャップを用いることができないという問題がある。また、封止用キャップのうち、容器口部と嵌合する部分が容器側に残っていると、容器がガラス瓶の場合、ガラス製の瓶本体と、樹脂製の上記封止用キャップの残留部分とを、分別して廃棄するのに手間を要するという問題もある。
【０００６】
本発明は、このような事情に鑑みなされたもので、容器口部を密封するだけでなく、その密封部分を効果的に封止し、かつ開封動作が簡単で、開封後はキャップ全体を容器口部から完全に除去することのできる優れた樹脂製キャップと、その樹脂製キャップを用いた容器の提供を、その目的とする。
【課題を解決するための手段】
【０００７】
上記の目的を達成するため、本発明は、略円筒状の口部を有する容器の、上記口部を密封するために用いられる樹脂製キャップであって、第１のキャップと、上記第１のキャップの上に冠着される第２のキャップとで構成され、上記第１のキャップが、容器口部の少なくとも開口縁部を覆う上面部と、上記上面部下面から下向きに形成され、容器口部と着脱自在に係合する係合部とを備え、上記第２のキャップが、上記第１のキャップの上面の周縁部を覆い中央部が開口した天面部と、上記天面部の下面周縁部から下向きに形成され、容器口部に直接もしくは第１のキャップを介して嵌合する周壁部と、上記天面部上に起立姿勢で保持され、その下端両端がそれぞれ上記天面部の開口縁部の一端側と他端側とに連結される起立片とを備え、上記第１のキャップの上面部には、上記第２のキャップの天面部開口から上方に突出して上記第２のキャップの起立片の一部と、剥離容易な状態で接合される第１の突出部と、上記第１の突出部から剥離された起立片が所定角度以上倒れないよう当たり止めとなる第２の突出部とが形成されており、上記起立片を、上記第１の突出部から剥離し上記第２の突出部に当てた状態で、さらに下向きに押圧することにより、上記第２のキャップが、上記第１のキャップから外れて除去されるようになっている樹脂製キャップを第１の要旨とする。
【０００８】
また、本発明は、そのなかでも、特に、上記第１のキャップの上面部の中央部が略半球状に突出形成され、その少なくとも片側に、その突出面からさらに突出する厚肉部が形成されているとともに、上記第２のキャップの、起立姿勢で保持れた起立片の下端部が、上記略半球状突出面に沿う略円弧状に形成され上記略半球状突出面に剥離容易な状態で接合されており、上記起立片を、上記略半球状突出面から剥離して上記厚肉部に当たるまで倒すことができるようになっている樹脂製キャップを第２の要旨とする。
【０００９】
そして、本発明は、上記第１または第２の要旨である樹脂製キャップを用いて容器口部の密封および改ざん防止用の封止がなされている樹脂製キャップ付容器を第３の要旨とし、そのなかでも、特に、上記容器が、上記樹脂製キャップを除去し、その口部に、中身取り出し用ノズルもしくは開閉キャップを冠着して使用するものである樹脂製キャップ付容器を第４の要旨とする。
【発明の効果】
【００１０】
すなわち、本発明の樹脂製キャップは、２つのキャップを組み合わせたもので、第２のキャップ側に設けられた起立片と、上記第１のキャップ側に設けられた第１の突出部とを、剥離容易な状態で接合することにより、両者を一体化し、その状態で、容器口部に嵌合することにより、容器口部を密封することができるようになっている。
【００１１】
そして、上記容器口部を開封して使用する場合は、上記第２のキャップの起立片を片側に倒して、上記第１のキャップの第１の突出部から剥離し、さらに倒して、上記第１のキャップに当たり止めとして設けられる第２の突出部に当てて押圧することにより、第１のキャップから第２のキャップを浮かして外すことができるようになっている。そして、露出した第１のキャップは、容器口部から簡単に外すことができるため、これを外すことにより、容器口部を完全に露出させることができるようになっている。
【００１２】
したがって、本発明の樹脂製キャップによれば、上記第１のキャップと第２のキャップを接合して一体化した状態で、容器口部に冠着することにより、容器口部の密封と、改ざん防止のための封止とを、同時に行うことができる。そして、上記第２のキャップの起立片を倒すだけで、簡単に、第２のキャップと第１のキャップを、この順で外すことができ、作業性がよい。また、これらのキャップはともに樹脂成形品であり、分別ごみとして簡単に廃棄処分することができる。
【００１３】
なお、本発明の樹脂製キャップのなかでも、特に、上記第１のキャップの上面部の中央部が略半球状に突出形成され、その少なくとも片側に、その突出面からさらに突出する厚肉部が形成されているとともに、上記第２のキャップの、起立姿勢で保持れた起立片の下端部が、上記略半球状突出面に沿う略円弧状に形成され上記略半球状突出面に剥離容易な状態で接合されており、上記起立片を、上記略半球状突出面から剥離して上記厚肉部に当たるまで倒すことができるようになっているものは、第２のキャップを第１のキャップから外す開封動作をスムーズに行うことができ、好適である。
【００１４】
そして、本発明の樹脂製キャップ付容器は、上記樹脂製キャップによって密封と改ざん防止が同時になされており、簡単な構成で安全が確保されている。また、上記樹脂製キャップの開封動作が容易で使い勝手がよい。しかも、すでに述べたように、分別ごみとして、上記樹脂製キャップおよび容器を別々に廃棄処分することができ、処分が容易である。
【００１５】
特に、本発明の樹脂製キャップ付容器は、樹脂製キャップが容器口部から完全に除去されるようになっているため、この容器口部を利用して、その口部に、中身取り出し用ノズルや開閉キャップを冠着して使用する用途に用いることが最適であり、例えば、薬用瓶の他、乳液や美容エッセンス等を収容する化粧料容器として用いることが好適である。
【発明を実施するための最良の形態】
【００１６】
つぎに、本発明を実施するための最良の形態について説明する。ただし、本発明は、この実施の形態に限られるものではない。
【００１７】
図１は、本発明の最良の実施形態の一例を示す斜視図、図２（ａ）は、そのＡ矢視面図、図２（ｂ）は、そのＢ矢視図である。これらの図において、１はガラス製のバイアル瓶で、胴部２と、胴部２より縮径された略円筒状の口部３とを備えている。
【００１８】
また、上記バイアル瓶１の口部３には、樹脂製キャップ５が冠着されている。この樹脂製キャップ５は、図２（ａ）の縦断面図である図３（ａ）、図２（ｂ）の縦断面図である図３（ｂ）に示すように、バイアル瓶１の口部に係合する第１のキャップ６と、その上に冠着される第２のキャップ７とで構成されている。なお、上記第１のキャップ６はポリプロピレン製の一体成形品からなり、第２のキャップ７はポリエチレン製の一体成形品からなるもので、両者の一部が、後述するように、互いに溶着されて、一体化されている。
【００１９】
より詳しく説明すると、上記第１のキャップ６は、図２および図３に示すように、バイアル瓶１の口部３の上面を覆う上面部１０と、上記上面部１０の下面から下向きに形成され上記口部３と着脱自在に係合する内筒部１１とを備えている。そして、上記上面部１０の中央部は、上向きに略半球状に突出し、その略半球状突出部１２のうち、一方側の根元部と、他方側の根元部に、それぞれ厚肉部１３が形成されている。なお、バイアル瓶１の口部３の上端部には、外向きのフランジ部３ａが形成されており、上記上面部１０と口部３との係合が、より広い面積を介してなされるようになっている。
【００２０】
一方、第２のキャップ７は、図２および図３に示すように、上記第１のキャップ６の上面部１０の周縁部を覆い、中央に開口１５ａを有する天面部１５と、上記天面部１５の下面周縁部から下向きに形成され、バイアル瓶１のフランジ部３ａと嵌合する周壁部１６と、上記天面部１５の上で、起立姿勢に保持される略板状の起立片１７とを備えている。そして、上記天面部１５の開口１５ａから、その下の、第１のキャップ６の略半球状突出部１２が突出している。
【００２１】
上記起立片１７は、その下端部の、幅方向両端の部分１７ａ、１７ｂが、それぞれ下にいくほど薄肉に形成されており、各下端が、上記天面部１５の開口縁部の一端側と他端側に連結されている。また、起立片１７の下端部の、上記薄肉連結部１７ａ、１７ｂ以外の部分は、第１のキャップ６の略半球状突出部１２の突出面に沿う略円弧状に形成されており、起立片１７の表裏面に、この略円弧状に沿うリブ１８が形成されている。ただし、上記リブ１８の厚みは、図２（ａ）に示すように、円弧の上側で厚く、下にいくほど薄くなって下端の薄肉連結部１７ａ、１７ｂとつながっている。
【００２２】
そして、上記起立片１７の、略円弧状に形成された下端部の端面（リブ１８によって厚くなっている部分を含む）は、上記第１のキャップ６の略半球状突出部１２の突出面に当接しており、その当接部分の一部が、溶着によって接合されている。この接合部分を、図２（ｂ）において斜線Ｘで示す。上記接合により、起立片１７は、天面部１５の上に、起立姿勢で保持されている。
【００２３】
ただし、上記溶着部分は、第１のキャップ６の材質がポリプロピレンで、第２のキャップ７の材質がポリエチレンで、互いに異なる樹脂同士を溶着しているため、充分な接着力を有しておらず、比較的軽い力でその接合部分が剥離するようになっている。そして、一旦剥離した両者は、再度重ねても接合することはできない。また、上記接合部分が剥離した状態では、起立片１７は、その下端部の薄肉連結部１７ａ、１７ｂを支点として、左右に自在に倒すことができるようになっている。
【００２４】
したがって、上記樹脂製キャップ５が冠着されたバイアル瓶１は、上記樹脂製キャップ５のうち、上から被せられた第２のキャップ７の周壁部１６とバイアル瓶１の口部３とが強固に嵌合しているため、そのままでは、これを開封することができない。そして、開封して使用する場合は、図４（ａ）において、矢印Ｐで示すように、まず、起立姿勢に保持された起立片１７を、片側に押圧して倒す。この動作により、第１のキャップ６の略半球状突出部１２と起立片１７の、溶着によって接合された部分が、簡単に剥離し、起立片１７が自由に回動するようになる。
【００２５】
そこで、上記起立片１７をさらに倒し、その片面が第１のキャップ６の厚肉部１３に当たるまで倒す。その状態で、さらに、起立片１７を下向きに押圧することにより、てこの原理によって、第２のキャップ７を、第１のキャップ６から浮き上がせて、口部３との嵌合を外すことができる。この状態を、図４（ｂ）に示す。そして、上記口部３と係合する第１のキャップ６は、容易に口部３から外すことができるため、樹脂製キャップ５全体を、バイアル瓶１の口部３から除去することができる。なお、外した第２のキャップ７は、上記口部３に簡単に嵌合させることはできない。
【００２６】
このように、上記樹脂製キャップ５が冠着されたバイアル瓶１は、上記樹脂製キャップ５によって密封されると同時に封止されて、改ざん防止がなされているため、安全である。
【００２７】
そして、使用する場合は、すでに述べたように、起立片１７を片側に倒すことにより、バイアル瓶１の口部３の周囲から、樹脂製キャップ５全体を簡単に除去することができる。そして、取り外された樹脂製キャップ５の第１のキャップ６と第２のキャップ７は、分別ごみとして、簡単に廃棄処分することができる。
【００２８】
また、上記バイアル瓶１は、例えば図５に示すように、中身を少量ずつ取り出すことのできる樹脂製ノズル３０を冠着して使用する場合があるが、上記樹脂製キャップ５の除去によって、即座にバイアル瓶１の口部３を完全に露出させることができるため、上記樹脂製キャップ５と上記樹脂製ノズル３０との交換を、簡単に行うことができるという利点を有する。また、上記樹脂製ノズル３０に限らず、開閉式の樹脂キャップ等、各種の部材を口部３に冠着する場合も、同様の利点を有する。
【００２９】
なお、上記の例において、樹脂製キャップ５の材質は、ポリプロピレンに限らず、各種の樹脂を用いることができるが、可撓性、成形性等の点から、ポリプロピレン、ポリエチレン等のオレフィン系樹脂を用いることが好適である。ただし、第１のキャップ６と第２のキャップ７を溶着して、簡単に剥離できるように接合するには、互いの材質を異なるものにする必要がある。
【００３０】
また、上記の例では、第１のキャップ６と第２のキャップ７を、それぞれ成形した後、両者を接合したが、例えば片方のキャップを成形した後、他方のキャップを、成形された片方のキャップとともに、インモールド成形するようにしても差し支えない。ただし、その場合も、両者の材質を適宜の異なる組み合わせとして、その境界面が、簡単に剥離する程度の接合となるようにしなければならない。
【００３１】
もちろん、上記のように、異材質間で溶着を行うのではなく、接着性の低い、容易に剥離可能な接着剤を用いて、第１のキャップ６と第２のキャップ７を接合するようにしても差し支えない。
【００３２】
そして、上記の例では、第１のキャップ６に、上面部１０から下向きに内筒部１１を形成し、これをバイアル瓶１の口部３に嵌入しているが、上記内筒部１１は、必ずしも必要ではなく、例えば、図６に示すように、バイアル瓶１の口部３に係合する外筒部３１が設けられているものであっても差し支えない。
【００３３】
また、上記の例では、起立片１７を倒す動作時の当たり止めとして、第１のキャップ６の略半球状突出部１２の両側に、厚肉部１３を設けたが、これは、起立片１７をどちら側に倒しても開封動作を行うことができるよう考慮したものである。もちろん、上記厚肉部１３は、片側に１個設けるだけでも差し支えない。
【００３４】
そして、上記当たり止めのための突出部と、起立片１７の一部と接合させるための突出部は、上記厚肉部１３および略半球状突出部１２に限らず、同様の作用を果たすものであれば、どのような構成になっていても差し支えない。なお、てこの原理で、倒した起立片１７に力をかけて第２のキャップ７を浮き上がらせるには、そのときの起立片１７の傾斜角度が、３０〜６０°になるよう当たり止めとなる突出部を設けることが好ましい。
【００３５】
さらに、本発明の樹脂製キャップ５を取り付ける容器としては、上記の例におけるバイアル瓶１に限らず、各種の容器を用いることができる。ただし、樹脂製キャップ５を冠着させる必要から、略円筒状口部３を有する構造のものでなければならない。
【図面の簡単な説明】
【００３６】
【図１】本発明の一実施例を示す斜視図である。
【図２】（ａ）は図１のＡ矢視図、（ｂ）は図１のＢ矢視図である。
【図３】（ａ）は図２（ａ）の縦断面図、（ｂ）は図２（ｂ）の縦断面図である。
【図４】（ａ）、（ｂ）は、ともに上記実施例の開封動作の説明図である。
【図５】上記実施例の容器の使用態様の説明図である。
【図６】本発明の他の実施例の部分的な説明図である。
【符号の説明】
【００３７】
１  バイアル瓶
３  口部
５  樹脂製キャップ
６  第１のキャップ
７  第２のキャップ
１２  略半球状突出部
１３  厚肉部
１５  天面部
１５ａ  開口
１６  周壁部
１７  起立片
【図１】
0004739051.tif 000002
【図２】
0004739051.tif 000003
【図３】
0004739051.tif 000004
【図４】
0004739051.tif 000005
【図５】
0004739051.tif 000006
【図６】
0004739051.tif 000007